(57)【要約】【課題】制御対象装置に対する遠隔制御を赤外線信号を用いて実現できる遠隔制御システムを提供する【解決手段】施設２０内に構築される施設内通信網２を経由して通信するための通信部１１を有する複数の機器１０を備え、機器１０は、赤外線信号送信部１２を有し、自身が設置されている空間１に設置されている制御対象装置６に対する遠隔制御指令を受け付けると、当該遠隔制御指令を含む赤外線信号を赤外線信号送信部１２から送信するように構成されている遠隔制御システムであって、複数の機器１０のうちの一つは、空気よりも軽い所定のガスの存在を検知するガス検知部１４と、施設２０外に構築される施設外通信網３を経由して外部機器５と通信し及び施設内通信網２を介して他の機器１０と通信するための通信部１１と、赤外線信号送信部１２とを有するガス警報器１０Ｃである。【選択図】図１
2017158022.tif 000002
【特許請求の範囲】
【請求項１】
施設内に構築される施設内通信網を経由して通信するための通信部を有する複数の機器を備え、
前記機器は、赤外線信号送信部を有し、自身が設置されている空間に設置されている制御対象装置に対する遠隔制御指令を受け付けると、当該遠隔制御指令を含む赤外線信号を前記赤外線信号送信部から送信するように構成されている遠隔制御システムであって、
前記複数の機器のうちの一つは、空気よりも軽い所定のガスの存在を検知するガス検知部と、前記施設外に構築される施設外通信網を経由して外部機器と通信し及び前記施設内通信網を介して他の前記機器と通信するための前記通信部と、前記赤外線信号送信部とを有するガス警報器である遠隔制御システム。
【請求項２】
施設内に構築される施設内通信網を経由して通信するための通信部を有する複数の機器を備え、
前記機器は、赤外線信号送信部を有し、自身が設置されている空間に設置されている制御対象装置に対する遠隔制御指令を受け付けると、当該遠隔制御指令を含む赤外線信号を前記赤外線信号送信部から送信するように構成されている遠隔制御システムであって、
前記複数の機器のうちの一つは、前記施設に設置される給湯器に与える動作指令を受け付けるための受付部と、前記給湯器の動作状態を表示するための表示部と、前記施設外に構築される施設外通信網を経由して外部機器と通信し及び前記施設内通信網を介して他の前記機器と通信するための前記通信部と、前記赤外線信号送信部とを有する台所リモコンである遠隔制御システム。
【請求項３】
前記空間の天井又は壁に設置され、前記遠隔制御指令を含む前記赤外線信号を受信する受信部と、当該受信部が受信した前記赤外線信号を送信する送信部とを有する信号中継器を備える請求項１又は２に記載の遠隔制御システム。
【請求項４】
前記信号中継器は、中継が許可される信号又は中継が禁止される信号を記憶する記憶部を有し、前記送信部は、前記記憶部が記憶している前記中継が禁止される信号以外の信号及び前記中継が許可される信号を選択して送信する請求項３に記載の遠隔制御システム。
【請求項５】
前記空間の天井又は壁に設置され、赤外線を反射できる赤外線反射器を備える請求項１〜４の何れか一項に記載の遠隔制御システム。
【請求項６】
前記複数の機器のうちの少なくとも一つは、火災に付随して発生する現象を検知する火災検知部と、前記通信部と、前記赤外線信号送信部とを有する火災警報器である請求項１〜５の何れか一項に記載の遠隔制御システム。
【請求項７】
前記機器は、前記制御対象装置の動作状態が変化したことを、音の変化及び温度の変化及び光強度の変化の少なくとも何れか一つによって検知できる動作変化検知部を有し、
前記赤外線信号送信部は、前記遠隔制御指令を含む前記赤外線信号を送信した後、前記制御対象装置の動作状態が変化したことを前記動作変化検知部が検知しないとき、前記遠隔制御指令を含む前記赤外線信号を再送信する請求項１〜６の何れか一項に記載の遠隔制御システム。
【発明の詳細な説明】
【技術分野】
【０００１】
本発明は、施設内に構築される施設内通信網を経由して通信するための通信部を有する複数の機器を備え、機器は、赤外線信号送信部を有し、自身が設置されている空間に設置されている制御対象装置に対する遠隔制御指令を受け付けると、その遠隔制御指令を含む赤外線信号を赤外線信号送信部から送信するように構成されている遠隔制御システムに関する。
【背景技術】
【０００２】
特許文献１には、遠隔地や外出先から電気機器の動作制御を可能とする遠隔制御システムが記載されている。この遠隔制御システムは、携帯電話などから操作できるリレー盤と、そのリレー盤のスイッチシステムとの間で通信網を経由して接続される機器（例えば、エアコンインターフェース、除湿器インターフェース）とを備える。そして、例えばエアコンインターフェースは、エアコンに対して赤外線信号を送信する赤外線信号送信部を有する。つまり、この遠隔制御システムにおいて、携帯電話などから操作できるリレー盤は、エアコン及び除湿器に対して直接接続されていない。そして、携帯電話などから操作できるリレー盤は、エアコン及び除湿器に対して制御指令を与えるのではなく、エアコンインターフェース又は除湿器インターフェースに対して赤外線信号の送信指令を与えるように構成されている。
また、特許文献１に記載の遠隔制御システムでは、エアコン等の制御対象装置のそれぞれに対してエアコンインターフェース等の機器が一台ずつ設けられている。
【先行技術文献】
【特許文献】
【０００３】
【特許文献１】特開２００５−１４３０７２号公報
【発明の概要】
【発明が解決しようとする課題】
【０００４】
特許文献１に記載の遠隔制御システムでは、制御対象装置に対して赤外線信号を送信するための専用の機器を、その制御対象装置の近くに一台ずつ設置しなければならない。そのため、遠隔制御システムを構築するためのコストが上昇するという問題がある。
また、制御対象装置としてのエアコンを追加で設置する場合、そのエアコンに対して赤外線信号を送信するための専用の機器（インターフェース）も追加で設置する必要がある。但し、そのような専用の機器を室内に後付けしようとしても、適当な設置スペースが見つかり難いこともある。
【０００５】
本発明は、上記の課題に鑑みてなされたものであり、その目的は、制御対象装置に対する遠隔制御を赤外線信号を用いて実現できる遠隔制御システムを提供する点にある。
【課題を解決するための手段】
【０００６】
上記目的を達成するための本発明に係る遠隔制御システムの特徴構成は、施設内に構築される施設内通信網を経由して通信するための通信部を有する複数の機器を備え、
前記機器は、赤外線信号送信部を有し、自身が設置されている空間に設置されている制御対象装置に対する遠隔制御指令を受け付けると、当該遠隔制御指令を含む赤外線信号を前記赤外線信号送信部から送信するように構成されている遠隔制御システムであって、
前記複数の機器のうちの一つは、空気よりも軽い所定のガスの存在を検知するガス検知部と、前記施設外に構築される施設外通信網を経由して外部機器と通信し及び前記施設内通信網を介して他の前記機器と通信するための前記通信部と、前記赤外線信号送信部とを有するガス警報器である点にある。
【０００７】
上記特徴構成によれば、ガス警報器が、空気よりも軽い所定のガスの存在を検知するガス検知部に加えて、施設外に構築される施設外通信網を経由して外部機器と通信し及び施設内通信網を介して他の機器と通信するための通信部と、赤外線信号送信部とを有する。加えて、赤外線信号送信部を備えるガス警報器は、空気よりも軽い所定のガスの存在を検知するためのものであるので、空間の上方（例えば天井又は天井付近など）に設置される。そのため、ガス警報器の赤外線信号送信部から放出された赤外線信号は、空間内の低い位置に存在している机や椅子などの障害物によって遮られることなく部屋内を進む。つまり、空間の上方に設置されるガス警報器に赤外線信号送信部を搭載したことで、その空間に設置されている制御対象機器が、ガス警報器から送信される赤外線信号を受信し易い状況が作られている。その結果、外部機器の利用者が、その外部機器を操作して、施設外通信網を経由してガス警報器にアクセスし、ガス警報器と同じ空間に設置されている制御対象機器に対する遠隔制御指令を含む赤外線信号を赤外線信号送信部から送信させることで、その制御対象機器の動作制御が可能になる。
加えて、ガス警報器の通信部は施設内通信網を介して施設内の他の機器と通信できるので、そのような他の機器が有する赤外線信号送信部からも、制御対象装置に対する遠隔制御指令を含む赤外線信号を送信させて、その制御対象機器の動作制御を行うこともできる。
【０００８】
本発明に係る遠隔制御システムの別の特徴構成は、施設内に構築される施設内通信網を経由して通信するための通信部を有する複数の機器を備え、
前記機器は、赤外線信号送信部を有し、自身が設置されている空間に設置されている制御対象装置に対する遠隔制御指令を受け付けると、当該遠隔制御指令を含む赤外線信号を前記赤外線信号送信部から送信するように構成されている遠隔制御システムであって、
前記複数の機器のうちの一つは、前記施設に設置される給湯器に与える動作指令を受け付けるための受付部と、前記給湯器の動作状態を表示するための表示部と、前記施設外に構築される施設外通信網を経由して外部機器と通信し及び前記施設内通信網を介して他の前記機器と通信するための前記通信部と、前記赤外線信号送信部とを有する台所リモコンである点にある。
【０００９】
上記特徴構成によれば、台所リモコンは、施設に設置される給湯器に与える動作指令を受け付けるための受付部等を有するものであるので、利用者の目線に近く且つ手が届く高さの壁に設置される。そのため、台所リモコンの赤外線信号送信部から放出された赤外線信号は、空間内の低い位置に存在している机や椅子などの障害物によって遮られることなく部屋内を進む。つまり、利用者の目線に近く且つ手が届く高さの壁に設置される台所リモコンに赤外線信号送信部を搭載したことで、その空間に設置されている制御対象機器が、台所リモコンから送信される赤外線信号を受信し易い状況が作られている。その結果、外部機器の利用者が、その外部機器を操作して、施設外通信網を経由して台所リモコンにアクセスし、台所リモコンと同じ空間に設置されている制御対象機器に対する遠隔制御指令を含む赤外線信号を赤外線信号送信部から送信させることで、その制御対象機器の動作制御が可能になる。
加えて、台所リモコンの通信部は施設内通信網を介して施設内の他の機器と通信できるので、そのような他の機器が有する赤外線信号送信部からも、制御対象装置に対する遠隔制御指令を含む赤外線信号を送信させて、その制御対象機器の動作制御を行うこともできる。
【００１０】
本発明に係る遠隔制御システムの更に別の特徴構成は、前記空間の天井又は壁に設置され、前記遠隔制御指令を含む前記赤外線信号を受信する受信部と、当該受信部が受信した前記赤外線信号を送信する送信部とを有する信号中継器を備える点にある。
【００１１】
制御対象装置が、機器の赤外線信号送信部から送信された赤外線信号が直接は届かない位置にあることもある。
ところが本特徴構成では、機器の赤外線信号送信部から送信された赤外線信号が、信号中継器を経由して制御対象装置で受信されることを期待できる。
【００１２】
本発明に係る遠隔制御システムの更に別の特徴構成は、前記信号中継器は、中継が許可される信号又は中継が禁止される信号を記憶する記憶部を有し、前記送信部は、前記記憶部が記憶している前記中継が禁止される信号以外の信号及び前記中継が許可される信号を選択して送信する点にある。
【００１３】
制御対象装置が、機器の赤外線信号送信部から送信された赤外線信号が直接届く位置にあり、且つ、信号中継器の送信部から送信された赤外線信号が直接届く位置にある場合、その制御対象装置には、同一の赤外線信号が相前後して届くこともある。また、制御対象装置の動作開始を指令するための赤外線信号（オン信号）と動作停止を指令するための赤外線信号（オフ信号）とが同一である場合もある。その場合、制御対象装置が、機器及び信号中継器の両方から同一の赤外線信号を受信すると、制御対象装置は一方の赤外線信号を受信したときに例えば動作開始し、次の赤外線信号を受信したときに例えば動作停止して、結果的に元の動作状態に戻ってしまうこともある。
ところが本特徴構成では、信号中継器は、中継が許可される信号又は中継が禁止される信号を記憶する記憶部を有し、送信部は、記憶部が記憶している中継が禁止される信号以外の信号及び中継が許可される信号を選択して送信する。つまり、制御対象装置の動作開始を指令するための赤外線信号（オン信号）と動作停止を指令するための赤外線信号（オフ信号）とが同一であったとしても、そのような赤外線信号を、中継が禁止される信号として記憶部に記憶しておけば、信号中継器によって中継されなくなる。その結果、制御対象装置は、同一の赤外線信号を２回受信することが無くなる。
【００１４】
本発明に係る遠隔制御システムの更に別の特徴構成は、前記空間の天井又は壁に設置され、赤外線を反射できる赤外線反射器を備える点にある。
【００１５】
制御対象装置が、機器の赤外線信号送信部から送信された赤外線信号が直接は届かない位置にあることもある。
ところが本特徴構成では、機器の赤外線信号送信部から送信された赤外線信号が、赤外線反射器によって反射された上で制御対象装置で受信されることを期待できる。
【００１６】
本発明に係る遠隔制御システムの更に別の特徴構成は、前記複数の機器のうちの少なくとも一つは、火災に付随して発生する現象を検知する火災検知部と、前記通信部と、前記赤外線信号送信部とを有する火災警報器である点にある。
【００１７】
上記特徴構成によれば、空間の天井又は天井付近に設置される火災警報器の赤外線信号送信部から放出された赤外線信号は、空間内の低い位置に存在している机や椅子などの障害物によって遮られることなく部屋内を進む。つまり、火災警報器に赤外線信号送信部を搭載したことで、その空間に設置されている制御対象機器が、火災警報器から送信される赤外線信号を受信し易い状況が作られる。
【００１８】
本発明に係る遠隔制御システムの更に別の特徴構成は、前記機器は、前記制御対象装置の動作状態が変化したことを、音の変化及び温度の変化及び光強度の変化の少なくとも何れか一つによって検知できる動作変化検知部を有し、
前記赤外線信号送信部は、前記遠隔制御指令を含む前記赤外線信号を送信した後、前記制御対象装置の動作状態が変化したことを前記動作変化検知部が検知しないとき、前記遠隔制御指令を含む前記赤外線信号を再送信する点にある。
【００１９】
機器の赤外線信号送信部が、遠隔制御指令を含む赤外線信号を送信しても、その赤外線信号が制御対象装置で正しく受信されたかどうかは不明である。但し、機器の赤外線信号送信部が送信した遠隔制御指令を含む赤外線信号が制御対象装置で受信されて、制御対象装置がその遠隔制御指令に応じた動作を行うと、制御対象装置の動作変化が、音の変化及び温度の変化及び光強度の変化の少なくとも何れか一つを伴うことがある。
そこで本特徴構成では、動作変化検知部は、制御対象装置の動作状態が変化したことを、音の変化及び温度の変化及び光強度の変化の少なくとも何れか一つによって検知する。そして、赤外線信号送信部は、遠隔制御指令を含む赤外線信号を送信した後、制御対象装置の動作状態が変化したことを動作変化検知部が検知しないとき、その赤外線信号が制御対象装置によって正常に受信されていないと判定して、遠隔制御指令を含む赤外線信号を再送信する。その結果、遠隔制御指令を制御対象装置で確実に実行させることができる。
【図面の簡単な説明】
【００２０】
【図１】第１実施形態の遠隔制御システムの構成を示す図である。
【図２】第２実施形態の遠隔制御システムの構成を示す図である。
【発明を実施するための形態】
【００２１】
＜第１実施形態＞
以下に本発明の第１実施形態に係る遠隔制御システムについて説明する。
図１は、第１実施形態の遠隔制御システムの構成を示す図である。遠隔制御システムは、住宅や事業所などの施設２０の住人又は利用者による、施設２０に設置されている制御対象装置６の遠隔制御の役割を担う。例えば、利用者は、自身の情報端末５を操作し、その情報端末５から施設外通信網３を経由して施設２０の遠隔制御システムにアクセスできる。或いは、利用者は、情報端末５からサーバー装置４にアクセスし、サーバー装置４を経由して施設２０の遠隔制御システムにアクセスする。そして、情報端末５から遠隔制御システムに対して、制御対象装置６を遠隔制御するための指令を送信できる。
【００２２】
図示するように、遠隔制御システムは、施設２０内の複数の空間１のそれぞれに設置される機器１０（１０Ａ，１０Ｂ，１０Ｃ）を備える。各機器１０は、施設２０内に構築される施設内通信網２を経由して通信するための通信部１１と、赤外線信号送信部１２を有する。そして、機器１０は、自身が設置されている空間１に設置されている制御対象装置６に対する遠隔制御指令を受け付けると、当該遠隔制御指令を含む赤外線信号を赤外線信号送信部１２から送信するように構成されている。施設内通信網２は、有線ＬＡＮ又は無線ＬＡＮ或いはそれらの組合せである。
【００２３】
図１には、施設２０に４つの空間１（台所１Ａ及び居室１Ｂ〜１Ｄ）が設置されている例を示す。説明は省略するが、例えば、利用者は、情報端末５を操作して、遠隔制御指令を与えたい制御対象装置６を特定すると共に、遠隔制御指令の内容を特定するような入力を行う。そうすると、情報端末５の演算処理部は、その制御対象装置６が設置されている空間１の機器１０を特定し、その機器１０に対して、空間１内で遠隔制御指令を含む赤外線信号を送信させる。
【００２４】
具体的に説明すると、制御対象装置６は赤外線受信部（図示せず）を備えており、その赤外線受信部で受信した制御指令に応じて動作するように構成されている例えばテレビや照明機器などの装置である。従って、利用者が施設２０に滞在していれば、それらテレビや照明機器に付属している赤外線リモコンを操作すれば、テレビや照明機器の動作を制御できる。また本実施形態では、利用者は、施設２０に滞在しているか否かに関わらず、情報端末５を用いて施設２０の遠隔制御システムにアクセスすることで、赤外線リモコンの代わりに各機器１０から赤外線信号を送信させることができる。
【００２５】
制御対象装置６に付属している赤外線リモコンから送信される遠隔制御指令を含む赤外線信号のデータ構成は、汎用の赤外線信号のデータ構成と同様、例えば、リーダーコード、カスタムコード、データコード、ストップビットなどを有するデータ構成になっている。よって、制御対象装置６に付属している赤外線リモコンとは別の光源（例えば、上記赤外線信号送信部１２）から赤外線信号を放出しても、そのデータ構成が同じであれば制御対象装置６の動作制御を適切に行うことができる。
【００２６】
図１に示す例において、台所１Ａに設置される機器１０はガス警報器１０Ｃである。このガス警報器１０Ｃは、空気よりも軽い所定のガスの存在を検知するガス検知部１４と、施設２０外に構築される施設外通信網３を経由して外部機器（例えば情報端末５など）と通信し及び施設内通信網２を介して他の機器１０と通信するための通信部１１と、赤外線信号送信部１２とを有する。この外部機器は、例えば施設外通信網３に接続可能な利用者の情報端末５の他に、コンピュータ装置などでもよい。ガス検知部１４は、例えば都市ガス（１３Ａなど）を検知するセンサなどを用いて実現できる。ガス警報器１０Ｃの筐体の表面には、赤外線信号送信部１２を構成する赤外線発光素子が露出して設けられている。また、ガス警報器１０Ｃは、天井又は天井近傍の壁に設置されている。そのため、ガス警報器１０Ｃの赤外線信号送信部１２から送信された赤外線信号は、台所内の人や物などによって遮られることなく、制御対象装置６に到達することを期待できる。
【００２７】
居室１Ｂに設置される機器１０は火災警報器１０Ｂである。この火災警報器１０Ｂは、火災に付随して発生する現象を検知する火災検知部１３と、通信部１１と、赤外線信号送信部１２とを有する。火災検知部１３は、火災に付随して発生する煙を検知するセンサ、火災に付随して発生する火炎の光を検知するセンサ、火災に付随して発生する熱を検知するセンサ、火災に付随して発生する一酸化炭素を検知するセンサなどの様々なセンサを用いて実現できる。火災警報器１０Ｂの筐体の表面には、赤外線信号送信部１２を構成する赤外線発光素子が露出して設けられている。また、火災警報器１０Ｂは、天井又は天井近傍の壁に設置されている。そのため、火災警報器１０Ｂの赤外線信号送信部１２から送信された赤外線信号は、居室内の人や物などによって遮られることなく、制御対象装置６に到達することを期待できる。
【００２８】
居室１Ｃ及び居室１Ｄに設置される機器１０Ａは、通信部１１と赤外線信号送信部１２とを有し、自身が設置されている空間１に設置されている制御対象装置６に対する遠隔制御指令を受け付けると、当該遠隔制御指令を含む赤外線信号を赤外線信号送信部１２から送信するように構成されている。機器１０Ａの筐体の表面には、赤外線信号送信部１２を構成する赤外線発光素子が露出して設けられている。また、機器１０は、天井又は天井近傍の壁に設置されている。そのため、機器１０の赤外線信号送信部１２から送信された赤外線信号は、居室内の人や物などによって遮られることなく、制御対象装置６に到達することを期待できる。
【００２９】
以上のように、各機器１０（機器１０Ａ、火災警報器１０Ｂ、ガス警報器１０Ｃ）は、何れも、利用者が情報端末５を操作して入力した遠隔制御指令を通信部１１によって受け付けると、その遠隔制御指令を含む赤外線信号を機器１０が設置されている空間１内へ赤外線信号送信部１２によって送信するように動作する。その結果、利用者は、制御対象装置６に付属する赤外線リモコンを施設２０内で使用しなくても、外部機器（例えば情報端末５など）を使用して施設２０の内外から遠隔制御システムにアクセスすることで、制御対象装置６の動作を制御できる。
加えて、ガス警報器１０Ｃの通信部１１は、施設内通信網２を介して、施設２０内の他の空間１に設置されている機器１０の通信部１１と通信できるので、そのような他の機器１０が有する赤外線信号送信部１２からも、制御対象装置６に対する遠隔制御指令を含む赤外線信号を送信させて、その制御対象装置６の動作制御を行うこともできる。
【００３０】
本実施形態では、複数の機器１０のうちの一つはガス警報器１０Ｃである。また、施設２０に設置されている複数の機器１０のうちの一つは火災警報器１０Ｂである。つまり、ガス警報器１０Ｃはガスを使用する施設２０で使用される一般的な機器１０であり、火災警報器１０Ｂも施設２０で使用される一般的な機器１０である。本実施形態では、このような一般的な機器１０に少なくとも上記通信部１１及び上記赤外線信号送信部１２の機能を付加することで、遠隔制御システムを構築できる。
【００３１】
尚、空間１に設置された機器１０の赤外線信号送信部１２と制御対象装置６との位置関係によっては、即ち、赤外線信号送信部１２と制御対象装置６との間に障害物が存在している等の場合、赤外線信号送信部１２から送信された赤外線信号が制御対象装置６に直接届かないことも有り得る。例えば、居室１Ｄに設置された機器１０Ａの赤外線信号送信部１２と制御対象装置６との位置関係によっては、その赤外線信号送信部１２から送信された赤外線信号が制御対象装置６に直接届かないことも有り得る。ところが本実施形態では、信号中継器３０を居室１Ｄ内に設置することで、居室１Ｄ内では、機器１０Ａの赤外線信号送信部１２から送信された赤外線信号と、信号中継器３０の送信部３２から送信された赤外線信号とが行き交うようにしている。
【００３２】
具体的には、本実施形態の遠隔制御システムは、居室１Ｄに信号中継器３０を更に備えている。この信号中継器３０は、施設２０の空間１の天井又は壁に設置され、遠隔制御指令を含む赤外線信号を受信する受信部３１と、当該受信部３１が受信した赤外線信号を送信する送信部３２とを有する。信号中継器３０は、その受信部３１が機器１０Ａの赤外線信号送信部１２から送信された赤外線信号を受信できる位置に設置される。信号中継器３０の筐体の表面には、受信部３１を構成する赤外線受光素子及び送信部３２を構成する赤外線発光素子が露出して設けられている。また、信号中継器３０は、天井又は壁に設置されている。そのため、ガス警報器１０Ｃの赤外線信号送信部１２から送信された赤外線信号は、居室１Ｄ内の人や物などによって遮られることなく、制御対象装置６に到達することを期待できる。その結果、赤外線信号が制御対象装置６に到達する確率を高めることができる。
【００３３】
また本実施形態では、赤外線反射器７を居室１Ｃ内に設置することで、居室１Ｃ内では、機器１０Ａの赤外線信号送信部１２から送信された赤外線信号と、赤外線反射器７で反射された赤外線信号とが行き交うようにしている。具体的には、この赤外線反射器７は、施設２０の空間１の天井又は壁に設置され、赤外線を反射できる機器１０である。これにより、赤外線信号が制御対象装置６に到達する確率を高めることができる。
【００３４】
＜第２実施形態＞
第２実施形態に係る遠隔制御システムは、機器１０として、ガス警報器１０Ｃの代わりに台所リモコン１０Ｄを用いた点で上記実施形態と異なっている。以下に第２実施形態の遠隔制御システムについて説明するが上記実施形態と同様の構成については説明を省略する。
【００３５】
図２は、第２実施形態の遠隔制御システムの構成を示す図である。図示するように、遠隔制御システムは、施設２０内に構築される施設内通信網２を経由して通信するための通信部１１を有する複数の機器１０を備える。そして、複数の機器１０のうちの一つは、台所リモコン１０Ｄである。図２に示す遠隔制御システムでは、台所１Ａに設置される機器１０が台所リモコン１０Ｄである。台所リモコン１０Ｄは、施設２０に設置される給湯器（図示せず）に与える動作指令を受け付けるための受付部１５と、給湯器の動作状態を表示するための表示部１６と、通信部１１と、赤外線信号送信部１２とを有する。台所リモコン１０Ｄの筐体の表面には、赤外線信号送信部１２を構成する赤外線発光素子が露出して設けられている。また、台所リモコン１０Ｄは、利用者の目線に近く且つ手が届く高さの壁に設置されている。そのため、台所リモコン１０Ｄの赤外線信号送信部１２から送信された赤外線信号は、台所内の人や物などによって遮られることなく、制御対象装置６に到達することを期待できる。
【００３６】
居室１Ｂ及び居室１Ｄに設置される機器１０は火災警報器１０Ｂである。この火災警報器１０Ｂは、火災に付随して発生する現象を検知する火災検知部１３と、通信部１１と、赤外線信号送信部１２とを有する。火災警報器１０Ｂは、天井又は天井近傍の壁に設置されている。そのため、火災警報器１０Ｂの赤外線信号送信部１２から送信された赤外線信号は、居室内の人や物などによって遮られることなく、制御対象装置６に到達することを期待できる。
【００３７】
居室１Ｃに設置される機器１０は、通信部１１と赤外線信号送信部１２と動作変化検知部１７とを有する。動作変化検知部１７は、制御対象装置６の動作状態が変化したことを、音の変化及び温度の変化及び光強度の変化の少なくとも何れか一つによって検知できる機能を実現する。例えば、動作変化検知部１７は、音を検知するマイクロホン、温度を検知するセンサ、光強度を検出するセンサなどを用いて実現できる。
【００３８】
これまでに説明した他の機器１０は、赤外線信号送信部１２から遠隔制御指令を含む赤外線信号を送信した後、制御対象装置６が実際にその遠隔制御指令の通りに動作したのかを検証する機能を有していない。つまり、赤外線信号送信部１２から送信した遠隔制御指令を含む赤外線信号が制御対象装置６によって正しく受信されたか否かを確認できない。
ところが、居室１Ｃに設置される機器１０Ｅは、動作変化検知部１７によって周囲の音の変化及び温度の変化及び光強度の変化の少なくとも何れか一つを検知できる。例えば、制御対象装置６がテレビであれば、そのオン及びオフに伴う動作状態の変化に応じて、動作変化検知部１７で検知される音及び光強度が変化する。また、制御対象装置６が空調装置であれば、そのオン及びオフに伴う動作状態の変化或いは設定温度の変化に応じて、動作変化検知部１７で検知される温度が変化する。また或いは、制御対象装置６が照明機器であれば、そのオン及びオフに伴う動作状態の変化に応じて、動作変化検知部１７で検知される光強度が変化する。
【００３９】
従って、遠隔制御指令を含む赤外線信号を赤外線信号送信部１２から送信した後、制御対象装置６の動作状態が変化したことを動作変化検知部１７が検知しないとき、その赤外線信号が制御対象装置６によって正常に受信されていないと判定できる。そこで本実施形態の遠隔制御システムでは、赤外線信号送信部１２は、遠隔制御指令を含む赤外線信号を送信した後、制御対象装置６の動作状態が変化したことを動作変化検知部１７が検知しないとき、遠隔制御指令を含む赤外線信号を再送信する。
【００４０】
加えて、本実施形態でも、居室１Ｄには信号中継器３０を設置している。
尚、居室１Ｄに設置される制御対象装置６のオンさせるときの赤外線信号とオフさせるときの赤外線信号とが同一である場合もある。例えば、テレビをオンさせるときの赤外線信号とオフさせるときの赤外線信号とが同一である場合もある。その場合、制御対象装置６としてのテレビが、居室１Ｄに設置された火災警報器１０Ｂ及び信号中継器３０の両方から同じ赤外線信号を受信した場合、テレビは一方の赤外線信号を受信したときに例えばオンし、次の赤外線信号を受信したときに例えばオフして、結果的に元の動作状態に戻ってしまう。
【００４１】
ところが本実施形態では、居室１Ｄに設置される信号中継器３０は、上記受信部３１及び上記送信部３２に加えて、中継が許可される信号又は中継が禁止される信号を記憶する記憶部３３を有する。そして、送信部３２は、記憶部３３が記憶している中継が禁止される信号以外の信号及び中継が許可される信号を選択して送信する。具体的には、記憶部３３は、制御対象装置６としてのテレビのオン信号及びオフ信号と同じ波形（赤外線信号のオン／オフパターン）を、中継が禁止される信号として記憶している。そして、受信部３１が赤外線信号を受信したとき、送信部３２は、その赤外線信号が記憶部３３に記憶されている「中継が禁止される信号」に一致する場合にはその送信を行わず、「中継が禁止される信号」に一致しない場合にはその送信を行う。このように、制御対象装置６の動作開始を指令するための赤外線信号（オン信号）と動作停止を指令するための赤外線信号（オフ信号）とが同一であったとしても、そのような赤外線信号を、中継が禁止される信号として記憶部３３に記憶しておけば、信号中継器３０によって中継されなくなる。その結果、制御対象装置６は、同一の赤外線信号を２回受信することが無くなる。
【００４２】
＜別実施形態＞
＜１＞
上記実施形態では、遠隔制御システムの構成について具体例を挙げて説明したが、その構成は適宜変更可能である。
例えば、上記実施形態では、各空間１に１個又は２個の制御対象装置６を描いているが、各空間１に設けられる制御対象装置６の数に制限はない。また、各空間１に、信号中継器３０又は赤外線反射器７が設けられてもよいし、その両方が設けられてもよい。
他にも、全ての機器１０が、動作変化検知部１７を有していてもよい。
【００４３】
図１にはガス警報器１０Ｃが施設外通信網３に接続された例を記載し、図２には台所リモコン１０Ｄが施設外通信網３に接続された例を記載したが、ガス警報器１０Ｃ及び台所リモコン１０Ｄがルーター等を経由して施設外通信網３に接続されていてもよい。
【００４４】
上記実施形態において、制御対象装置６の例としてテレビや照明機器を挙げたが、赤外線リモコンによる遠隔操作が可能な装置であれば、どのような装置であっても制御対象装置６として利用できる。例えば、床暖房装置の操作パネルが赤外線リモコンによる操作入力を受け付ける構成になっているのであれば、その操作パネルを上記制御対象装置６として利用できる。
【００４５】
＜２＞
尚、上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００４６】
本発明は、制御対象装置に対する遠隔制御を赤外線信号を用いて実現できる遠隔制御システムに利用できる。
【符号の説明】
【００４７】
１  空間
２  施設内通信網
３  施設外通信網
４  サーバー装置
５  情報端末（外部機器）
６  制御対象装置
７  赤外線反射器
１０  機器
１０Ａ  機器
１０Ｂ  火災警報器
１０Ｃ  ガス警報器
１０Ｄ  台所リモコン
１０Ｅ  機器
１１  通信部
１２  赤外線信号送信部
１３  火災検知部
１４  ガス検知部
１５  受付部
１６  表示部
１７  動作変化検知部
２０  施設
３０  信号中継器
３１  受信部
３２  送信部
３３  記憶部
【図１】
2017158022.tif 000003
【図２】
2017158022.tif 000004